(57)【要約】【課題】本発明は、重心の片寄りが抑制された蓄電モジュールを提供する。【解決手段】複数の蓄電ユニット２３Ａ〜２３Ｆが積層された蓄電モジュール１０であって、複数の蓄電ユニット２３Ａ〜２３Ｆのそれぞれは、扁平な本体部２５の一端部から突出された一対の正極端子２６及び負極端子２７を備えると共に一対の正極端子２６及び負極端子２７の突出方向を揃えた姿勢で突出方向に対して直交する方向に沿って並べられた複数の蓄電素子２３と、複数の蓄電素子２３に対して正極端子２６及び負極端子２７の突出方向側の位置に配されると共に複数の蓄電素子２３の正極端子２６及び負極端子２７に接続された正極バスバー３６Ａ〜３６Ｆ及び負極バスバー３７Ａ〜３７Ｂと、を備え、複数の蓄電ユニット２３Ａ〜２３Ｆは、正極バスバー３６Ａ〜３６Ｆ及び負極バスバー３７Ａ〜３７Ｂが突出方向について交互に反対側に位置するように積層されている。【選択図】図１８
2014220103.tif 000002
【特許請求の範囲】
【請求項１】
複数の蓄電ユニットが積層された蓄電モジュールであって、
前記複数の蓄電ユニットのそれぞれは、扁平な本体部の一端部から突出された一対のリード端子を備えると共に前記一対のリード端子の突出方向を揃えた姿勢で前記突出方向に直交する方向に沿って並べられた複数の蓄電素子と、前記複数の蓄電素子に対して前記リード端子の突出方向側の位置に配されると共に前記複数の蓄電素子の前記リード端子に接続されたバスバーと、を備え、
前記複数の蓄電ユニットは、前記バスバーが前記突出方向について交互に反対側に位置するように積層されている蓄電モジュール。
【請求項２】
前記バスバーは、前記蓄電素子に対して前記突出方向と直交する方向の側縁に沿って延びる延長部を備え、
前記複数の蓄電ユニットのそれぞれに配された前記延長部は、前記突出方向に直交する方向について反対側に位置するように配されている請求項１に記載の蓄電モジュール。
【請求項３】
前記バスバーは絶縁層を介して積層されている請求項１または請求項２に記載の蓄電モジュール。
【請求項４】
前記蓄電素子はラミネート型の電池である請求項１ないし請求項３のいずれか一項に記載の蓄電モジュール。
【発明の詳細な説明】
【技術分野】
【０００１】
本発明は、蓄電モジュールに関する。
【背景技術】
【０００２】
従来、複数の蓄電素子を備えた蓄電モジュールとして、特許文献１に記載のものが知られている。この蓄電モジュールは、扁平な本体の片側から一対のリード端子を導出させた構造を有する片側端子型の蓄電素子を横並びにして各蓄電素子を直列又は並列に接続し、更にそれを複数層に積み重ねる構成を有する（特許文献１参照）。
【先行技術文献】
【特許文献】
【０００３】
【特許文献１】特開２００３−１５１５２６号公報
【発明の概要】
【発明が解決しようとする課題】
【０００４】
上記の片側端子型の蓄電素子を使用したものでは、端子の導出側において、バスバーによって端子の接続構造を構成する。このため、各蓄電素子の端子側には外部導体が偏在することになり、１層分を平面的に見た場合、重心が端子側に片寄ることになる。
【０００５】
そして、これらを複数層に積み重ねれば、蓄電モジュール全体としては、その重心の片寄りがより顕著になり、蓄電モジュールの振動対策や固定構造において不具合を生じかねない。
【０００６】
本発明は上記のような事情に基づいて完成されたものであって、重心の片寄りが抑制された蓄電モジュールを提供することを目的とする。
【課題を解決するための手段】
【０００７】
本発明は、複数の蓄電ユニットが積層された蓄電モジュールであって、前記複数の蓄電ユニットのそれぞれは、扁平な本体部の一端部から突出された一対のリード端子を備えると共に前記一対のリード端子の突出方向を揃えた姿勢で前記突出方向に直交する方向に沿って並べられた複数の蓄電素子と、前記複数の蓄電素子に対して前記リード端子の突出方向側の位置に配されると共に前記複数の蓄電素子の前記リード端子に接続されたバスバーと、を備え、前記複数の蓄電ユニットは、前記バスバーが前記突出方向について交互に反対側に位置するように積層されている。
【０００８】
本発明によれば、積層された各蓄電ユニットに配されたバスバーは、リード端子の突出方向について交互に反対側に位置するように配されているから、全体として蓄電モジュールの重心が片寄ることを抑制することができる。
【０００９】
本発明の実施態様としては以下の態様が好ましい。前記バスバーは、前記蓄電素子に対して前記突出方向と直交する方向の側縁に沿って延びる延長部を備え、前記複数の蓄電ユニットのそれぞれに配された前記延長部は、前記突出方向に直交する方向について反対側に位置するように配されていることが好ましい。
【００１０】
上記の態様によれば、各蓄電ユニットおいて、リード端子の突出方向に直交する方向について重心が片寄ることを抑制することができるので、蓄電モジュールの重心が片寄ることを一層抑制することができる。
【００１１】
前記バスバーは絶縁層を介して積層されていてもよい。
【００１２】
上記の態様によれば、バスバーが積層されることで各蓄電ユニットの重心が片寄った場合でも、全体として蓄電モジュールの重心が片寄ることを抑制することができる。
【００１３】
前記蓄電素子はラミネート型の電池であってもよい。
【００１４】
上記の態様によれば、蓄電素子として比較的に軽量であるラミネート型の電池を用いることにより蓄電ユニットの重心がバスバー側に片寄った場合でも、全体として蓄電モジュールの重心が片寄ることを抑制することができる。
【発明の効果】
【００１５】
本発明によれば、蓄電モジュールの重心が片寄ることを抑制することができる。
【図面の簡単な説明】
【００１６】
【図１】本発明の実施形態１に係る蓄電モジュールを示す斜視図
【図２】積層体を示す斜視図
【図３】積層体の最下層の第１蓄電ユニットを示す斜視図
【図４】蓄電素子を示す斜視図
【図５】ヒートシンクを示す平面図
【図６】第１蓄電ユニットの蓄電素子、正極バスバー、及び負極バスバーを示す斜視図
【図７】第１蓄電ユニットをＹ−Ｚ平面で切断した断面図
【図８】第１蓄電ユニットの正極バスバーを示す斜視図
【図９】第２蓄電ユニットの負極バスバーを示す斜視図
【図１０】中央セパレータを示す平面図
【図１１】最下層の左端部側セパレータを示す平面図
【図１２】最下層の右端部側セパレータを示す平面図
【図１３】第１蓄電ユニットの上に第２蓄電ユニットを積層した状態を示す斜視図
【図１４】第１蓄電ユニットの上に第２蓄電ユニットを積層した状態を示す平面図
【図１５】第２蓄電ユニットの蓄電素子、正極バスバー、及び負極バスバーを示す斜視図
【図１６】図１４のＡ−Ａ線断面図
【図１７】第１蓄電ユニットと第２蓄電ユニットの積層構造を示す分解斜視図
【図１８】積層体をＹ−Ｚ平面で切断した断面図
【発明を実施するための形態】
【００１７】
＜実施形態１＞
本発明の実施形態１を図１ないし図１８を参照しつつ説明する。本実施形態に係る蓄電モジュール１０は、例えば、例えば自動車等の車両（図示せず）に搭載されて、車両のＩｎｔｅｇｒａｔｅｄ  Ｓｔａｒｔｅｒ  Ｇｅｎｅｒａｔｏｒ（ＩＳＧ）に用いられる。以下の説明では、Ｘ方向を右方とし、Ｙ方向を前方とし、Ｚ方向を上方とする。
【００１８】
（蓄電モジュール１０）
蓄電モジュール１０は、ケース１１と、ケース１１内に収容された複数（本実施形態では６つ）の蓄電ユニット１２Ａ，１２Ｂ，１２Ｃ，１２Ｄ，１２Ｅ，１２Ｆと、を備える。複数の蓄電ユニット１２Ａ〜１２Ｆは上下方向に積層されて積層体１３を構成する。
【００１９】
（ケース１１）
図１に示すように、ケース１１は、有底筒状をなして左方に開口するケース本体１４と、このケース本体１４の開口を閉塞する絶縁性の合成樹脂からなる閉塞部材１５と、を備える。ケース本体１４は、上方及び左方に開口する金属製のロアケース１６と、ロアケース１６の上方を覆う金属製のアッパーケース１７と、を備える。
【００２０】
ロアケース１６の底壁の四隅部には、積層体１３に上下方向に貫通させたボルト１８を貫通させるための留め孔（図示せず）が貫通形成されている。
【００２１】
アッパーケース１７は略長方形状をなしている。アッパーケース１７の四隅部には、ロアケース１６と、積層体１３と、アッパーケース１７と、をボルト１８とナット１９とで一体に締結するための留め孔（図示せず）が貫通形成されている。
【００２２】
閉塞部材１５は略長方形状をなしており、ケース１１の開口に嵌め入れられて開口を塞ぐようになっている。
【００２３】
（積層体１３）
図２に示すように、積層体１３は、複数の蓄電ユニット１２Ａ〜１２Ｆを上下に積層してなる。積層体１３の左端部からは、一対の外部接続端子２２が左方に突出している。外部接続端子２２は、積層体１３がケース１１内に収容された状態で、閉塞部材１５を貫通して左方に導出されている。一対の外部接続端子２２の一方は正極であり、他方は負極である。蓄電ユニット１２Ａ〜１２Ｆは、下から順に、第１蓄電ユニット１２Ａ、第２蓄電ユニット１２Ｂ、第３蓄電ユニット１２Ｃ、第４蓄電ユニット１２Ｄ、第５蓄電ユニット１２Ｅ、及び第６蓄電ユニット１２Ｆとされる。
【００２４】
（蓄電ユニット１２Ａ〜１２Ｆ）
蓄電ユニット１２Ａ〜１２Ｆは、複数（本実施形態では３つ）の蓄電素子２３と、複数の蓄電素子２３に伝熱的に接触するヒートシンク２４と、を備える。以下の説明においては、蓄電ユニット１２Ａ〜１２Ｆの構成につき、最下層の第１蓄電ユニット１２Ａと、下から２層目の第２蓄電ユニット１２Ｂを例に説明する。
【００２５】
（蓄電素子２３）
図３に示すように、第１蓄電ユニット１２Ａには、３つの蓄電素子２３が左右方向に並んで配されている。複数の蓄電素子２３は同形同大である。本実施形態に係る蓄電素子２３はラミネート型の電池である。それぞれの蓄電素子２３は、上方から見て略長方形状をなすと共に、上下に重ねられた一対のラミネートフィルムの側縁部が溶着された本体部２５を備える。本体部２５の内部には図示しない蓄電要素が収容されている。
【００２６】
図４に示すように、本体部２５の一対の短辺のうち、一の短辺からは、扁平なタブ状をなすと共に蓄電要素に電気的に接続された正極端子２６（リード端子の一例）及び負極端子２７（リード端子の一例）が外方に突出している。正極端子２６及び負極端子２７は、下側のラミネートフィルムの上面に重ねられた状態で、上下のラミネートフィルムの間から本外部の外部に導出されている。
【００２７】
第１蓄電ユニット１２Ａにおいては、３つの蓄電素子２３は、正極端子２６及び負極端子２７の突出方向が前後方向（Ｙ軸に沿う方向）に揃えられた姿勢で、且つ、正極端子２６及び負極端子２７の突出方向に直交する左右方向（Ｘ軸に沿う方向）に沿って並んで配されている。
【００２８】
本体部２５の下面は扁平な形状をなしており、ヒートシンク２４に伝熱的に接触するようになっている。本体部２５の一対の長辺においては、両側縁部が上方に曲げられている。
【００２９】
本体部２５を構成するラミネートフィルムは、アルミニウム箔等を含む金属箔の外側にはポリエチレンテレフタレート、ナイロン等を含む樹脂層（図示せず）が積層されており、金属箔の内側（蓄電要素側）にはポリエチレンまたはポリプロピレン等を含む熱溶着層（図示せず）が設けられている。
【００３０】
（ヒートシンク２４）
図５に示すように、ヒートシンク２４は、板状をなしており、上方から見て略長方形状をなしている。ヒートシンク２４は比較的に熱伝導率の高い材料からなる。ヒートシンク２４を構成する材料としては、アルミニウム、アルミニウム合金、銅、銅合金、ステンレス等の金属、セラミック等、必要に応じて任意の材料を使用することができる。本実施形態においては、アルミニウム、又はアルミニウム合金が用いられている。
【００３１】
ヒートシンク２４の表面には絶縁被膜（図示せず）が形成されている。本実施形態に係る絶縁被膜はヒートシンク２４の表面に公知のアルマイト処理によって形成されたアルマイト層である。絶縁被膜としては、例えば合成樹脂製の塗膜でもよく、必要に応じて公知の手法により任意の絶縁被膜を形成することができる。
【００３２】
ヒートシンク２４には、複数の蓄電素子２３が左右方向に並べて固定される固定部２９が設けられている。蓄電素子２３と固定部２９とは、図示しない両面テープで固定されている。これにより、蓄電素子２３とヒートシンク２４とは伝熱的に接触するようになっている。
【００３３】
図５に示すように、ヒートシンク２４には、固定部２９の前端縁から前方に延出されると共に、固定部２９から下方に２回、直角曲げ加工されることにより、左右方向から見てクランク状に形成されることにより、蓄電素子２３の正極端子２６及び負極端子２７との干渉を避ける退避部３１が設けられている。退避部３１には、蓄電素子２３が固定部２９に固定された状態で、正極端子２６及び負極端子２７に対応する位置に、正極端子２６及び負極端子２７を後述する正極バスバー３６Ａ及び負極バスバー３７Ａと溶接するための冶具が挿入される複数の溶接窓部３２Ａが開口されている。
【００３４】
図５に示すように、ヒートシンク２４には、固定部２９の後端縁から後方に延出された延出部３３が設けられている。延出部３３は、固定部２９から下方に２回、直角曲げ加工されることにより、左右方向から見てクランク状に形成されている。この延出部３３と、上記した退避部３１とは、上下方向の高さ位置が略同じに設定されている（図７参照）。
【００３５】
図５に示すように、ヒートシンク２４の前端縁及び後端縁には、外方に突出する複数の伝熱部３４が形成されている。伝熱部３４の先端部は上方に曲げ加工されている。伝熱部３４は、積層体１３がケース１１内に収容された状態で、ケース１１側に突出してケース１１の内面に弾性的に接触するようになっている。この結果、伝熱部３４とケース１１とが伝熱的に接触するようになっている。伝熱部３４は、ヒートシンク２４の前端縁及び後端縁に、左右方向に間隔を空けて並んで配されている。本実施形態では、伝熱部３４は、ヒートシンク２４の前端縁及び後端縁に、それぞれ４つずつ設けられている。
【００３６】
（正極バスバー３６Ａ〜３６Ｆ，負極バスバー３７Ａ〜３７Ｆ）
図６に示すように、複数（本実施形態では３つ）の蓄電素子２３のそれぞれの正極端子２６には正極バスバー３６Ａが接続されており、複数の蓄電素子２３のそれぞれの負極端子２７には負極バスバー３７Ａが接続されている。これにより、正極バスバー３６Ａ、複数の蓄電素子２３、及び負極バスバー３７Ａにより、複数の蓄電素子２３が並列接続された並列回路が構成されるようになっている。正極バスバー３６Ａ及び負極バスバー３７Ａは金属板材を所定形状にプレス加工してなる。上記の金属板材を構成する金属としては、銅、銅合金、アルミニウム、アルミニウム合金等、必要に応じて任意の金属を選択しうる。正極バスバー３６Ａを構成する金属と、負極バスバー３７Ａを構成する金属は、同じであってもよく、また、異なっていてもよい。本実施形態においては、正極バスバー３６Ａ及び負極バスバー３７Ａは共に銅又は銅合金からなる。
【００３７】
なお、第１蓄電ユニット１２Ａ〜第６蓄電ユニット１２Ｆには、それぞれ、正極バスバー３６Ａ〜３６Ｆ  と、負極バスバー３７Ａ〜３７Ｆとが配されている。
【００３８】
図７に示すように、ヒートシンク２４の退避部３１の上には、絶縁性の合成樹脂からなる中央セパレータ３８を介して負極バスバー３７Ａ（負極バスバー本体部４３）が重ねられている。この負極バスバー３７Ａの上には、絶縁性の合成樹脂材からなる絶縁シート３９Ａ（絶縁層に相当する）を介して正極バスバー３６Ａ（正極バスバー本体部４２）が重ねられている。正極バスバー３６Ａの上には、更に、絶縁性の合成樹脂材からなる絶縁シート３９Ｂが重ねられている。
【００３９】
図８に示すように、正極バスバー３６Ａは、正極バスバー本体部４２と、正極バスバー本体部４２から分岐されて複数の蓄電素子２３の正極端子２６に、溶接等の公知の手法により接続される複数（本実施形態では３つ）の正極分岐部４０と、正極バスバー本体部４２から延出されて外部回路と接続される第１端子部４１と、が設けられている。第１蓄電ユニット１２Ａにおいては、第１端子部４１は、上述した一対の外部接続端子２２の一方（正極）とされる。
【００４０】
正極分岐部４０は、正極バスバー本体部４２から僅かに下方にクランク状に曲げられている。これにより、蓄電素子２３の正極端子２６と正極分岐部４０の上下方向の高さを整合させるようになっている。
【００４１】
図９に示すように、負極バスバー３７Ａは、負極バスバー本体部４３と、負極バスバー本体部４３の端部から直角に曲がって延びる負極バスバー延長部５７（延長部の一例）と、負極バスバー本体部４３から分岐されて複数の蓄電素子２３の負極端子２７に溶接等の公知の手法により接続される複数（本実施形態では３つ）の負極分岐部４４と、負極バスバー延長部５７から延出されて、外部回路に接続される接続される第２端子部４５と、を備える。第１蓄電ユニット１２Ａにおいては、第２端子部４５は、第１蓄電ユニット１２Ａの上に積層された第２蓄電ユニット１２Ｂに電気的に接続されるようになっている。
【００４２】
（セパレータ３８，４６Ａ，４６Ｂ）
図３に示すように、第１蓄電ユニット１２Ａは、ヒートシンク２４の上に配された中央セパレータ３８と、ヒートシンク２４の左右両側部に配された端部セパレータ４６と、を備える。
【００４３】
図１０に示すように、中央セパレータ３８は、各蓄電素子２３を内側に嵌め入れた保持するために矩形に区画された複数（本実施形態では３つ）の区画部４７を備える。各区画部４７は、蓄電素子２３の外形状をほぼ同じかやや大きく設定されており、蓄電素子２３を左右に並べて嵌め入れることが可能である。蓄電素子２３が区画部４７に嵌め入れられることにより、左右方向に並ぶ複数の蓄電素子２３は、互いに間隔を空けて配置されるようになっている。
【００４４】
区画部４７の前方には、正極バスバー３６Ａ及び負極バスバー３７Ａが載置されるバスバー保持部４８が形成されている。バスバー保持部４８には、ヒートシンク２４に中央セパレータ３８が取り付けられた状態で、ヒートシンク２４の溶接窓部３２Ａに対応する位置に、溶接用の冶具を挿入するための複数の溶接窓部３２Ｂが形成されている。
【００４５】
中央セパレータ３８には、ヒートシンク２４に向かって突出するロック部５１Ｃが形成されている。このロック部５１Ｃが、ヒートシンク２４に形成されたロック受け部５０Ｃに弾性的に係止することにより、中央セパレータ３８とヒートシンク２４とは一体に組み付けられる。
【００４６】
図２に示すように、中央セパレータ３８には、左右方向に細長い形状に形成されると共に、蓄電素子２３の正極端子２６及び負極端子２７を上方から覆うカバー４９が組み付けられている。
【００４７】
端部セパレータ４６は、ヒートシンク２４の左方に取り付けられる左端部セパレータ４６Ａと、ヒートシンク２４の右方に取り付けられる右端部セパレータ４６Ｂと、からなる。
【００４８】
図１１に示すように、左端部セパレータ４６Ａには、ヒートシンク２４に形成されたロック受け部５０Ａに係止する弾性変形可能なロック部５１Ａが形成されている。このロック部５１Ａがロック受け部５０Ａに弾性的に係止することにより、左端部セパレータ４６Ａとヒートシンク２４とが一体に組み付けられる。また、左端部セパレータ４６Ａには上方に突出するピン５２Ａが形成されており、このピン５２Ａが、中央セパレータ３８に形成された貫通孔５３Ａ内に貫通されることにより、左端部セパレータ４６Ａと中央セパレータ３８とが一体に組み付けられる。正極バスバー３６Ａは、左端部セパレータ４６Ａ及び中央セパレータ３８の上に跨って載置される。
【００４９】
図１２に示すように、右端部セパレータ４６Ｂには、ヒートシンク２４に形成されたロック受け部５０Ｂに係止する弾性変形可能なロック部５１Ｂが形成されている。このロック部５１Ｂがロック受け部５０Ｂに弾性的に係止することにより、右端部セパレータ４６Ｂとヒートシンク２４とが一体に組み付けられる。また、右端部セパレータ４６Ｂには上方に突出するピン５２Ｂが形成されており、このピン５２Ｂが、中央セパレータ３８に形成された貫通孔５３Ｂ内に貫通されることにより、右端部セパレータ４６Ｂと中央セパレータ３８とが一体に組み付けられる。負極バスバー３７Ａは、右端部セパレータ４６Ｂ及び中央セパレータ３８の上に跨って載置される。
【００５０】
正極バスバー本体部４２と、負極バスバー本体部４３は、蓄電素子２３の端縁のうち、正極端子２６及び負極端子２７が突出する側の端縁に沿って配されている。また、負極バスバー延長部５７は、蓄電素子２３の端縁のうち、正極端子２６及び負極端子２７の突出方向に直交する方向側の端縁に沿って配されている。
【００５１】
（第２蓄電ユニット１２Ｂ）
続いて、下から２層目に配された第２蓄電ユニット１２Ｂについて説明する。なお、第１蓄電ユニット１２Ａと同様の構成については説明を省略する。
【００５２】
図１３及び図１４に示すように、第２蓄電ユニット１２Ｂは第１蓄電ユニット１２Ａの上に積層される。このとき、第２蓄電ユニット１２Ｂに配された蓄電素子２３の正極端子２６及び負極端子２７の突出方向は、第１蓄電ユニット１２Ａに配された蓄電素子２３の正極端子２６及び負極端子２７の突出方向と反対側を向くようになっている。これにより、第２蓄電ユニット１２Ｂの正極バスバー本体部４２及び負極バスバー本体部４３は、第１蓄電ユニット１２Ａに配された蓄電素子２３の正極バスバー本体部４２及び負極バスバー本体部４３と、正極端子２６及び負極端子２７の突出方向について反対側に配置されるようになっている。
【００５３】
図１５に示すように、蓄電素子２３の正極端子２６には正極バスバー３６Ｂの正極分岐部４０が接続されている。第２蓄電ユニット１２Ｂに配された正極バスバー３６Ｂは、正極バスバー本体部４２の端部から直角に曲がって延びる正極バスバー延長部５６（延長部の一例）を備える。
【００５４】
また、蓄電素子２３の負極端子２７には負極バスバー３７Ｂの負極分岐部４４が接続されている。
【００５５】
第２蓄電ユニット１２Ｂにおいては、蓄電素子２３の端縁のうち、正極端子２６及び負極端子２７の突出方向に直交する方向（左右方向）側の端縁に沿って、正極バスバー延長部５６と、負極バスバー延長部５７とが、反対側に位置して配されている。
【００５６】
図１６に示すように、第１蓄電ユニット１２Ａに配された負極バスバー３７Ａの第２端子部４５と、第１蓄電ユニット１２Ａの上に重ねられた第２蓄電ユニット１２Ｂの正極バスバー３６Ｂとは、金属板材をクランク状にプレス加工してなる接続部材５５によって電気的に接続されている。接続部材５５は、異なる層の正極バスバー３６Ｂ及び負極バスバー３７Ａに、超音波溶接、レーザー溶接、ろう付け、はんだ付け等の公知の手法により接続されている。これにより、第１蓄電ユニット１２Ａの複数の蓄電素子２３を含む並列回路と、第２蓄電ユニット１２Ｂの複数の蓄電素子２３を含む並列回路と、が直列接続される。同様にして、第１蓄電ユニット１２Ａの並列回路から第６蓄電ユニット１２Ｆの並列回路までが、直列接続される。
【００５７】
（積層構造）
図２に示すように、各蓄電ユニット１２Ａ〜１２Ｆには、上下に重ねられた他の蓄電ユニット１２Ａ〜１２Ｆに弾性的に係止するロック爪５４が形成されている。このロック爪５４が、他の蓄電ユニット１２Ａ〜１２Ｆに弾性的に係止することにより、各蓄電ユニット１２Ａ〜１２Ｆは積層状態に保持される。
【００５８】
図１７に、第１蓄電ユニット１２Ａと、下から第２蓄電ユニット１２Ｂの分解斜視図を示す。第１蓄電ユニット１２Ａの正極バスバー３６Ａと、負極バスバー３７Ａは、第１蓄電ユニット１２Ａの前端寄りの位置に配されている。これに対して、第２蓄電ユニット１２Ｂの正極バスバー３６Ｂと、負極バスバー３７Ｂは、第２蓄電ユニット１２Ｂの後端寄りの位置に配されている。このように、第１蓄電ユニット１２Ａの正極バスバー３６Ａ及び負極バスバー３７Ａと、第２蓄電ユニット１２Ｂの正極バスバー３６Ｂ及び負極バスバー３７Ｂとは、蓄電素子２３の正極端子２６及び負極端子２７の突出方向（前後方向）について交互に反対側に位置するように配されている。
【００５９】
図１８に積層体をＸ−Ｚ平面で切断した断面図を示す。上記したように、第１蓄電ユニット１２Ａの正極バスバー３６Ａ及び負極バスバー３７Ａと、第２蓄電ユニット１２Ｂの正極バスバー３６Ｂ及び負極バスバー３７Ｂとは、蓄電素子２３の正極端子２６及び負極端子２７の突出方向（前後方向）について交互に反対側に位置するように配されている。
【００６０】
そして、第１蓄電ユニット１２Ａから第６蓄電ユニット１２Ｆが積層された積層体１３において、各蓄電ユニット１２Ａ〜１２Ｆに配された正極バスバー３６Ａ〜３６Ｆおよび負極バスバー３７Ａ〜３７Ｆは、蓄電素子２３の正極端子２６及び負極端子２７の突出方向（前後方向）について交互に反対側に位置するように配されている。
【００６１】
（本実施形態の作用、効果）
続いて、本実施形態の作用、効果について説明する。本実施形態は、複数の蓄電ユニット２３Ａ〜２３Ｆが積層された蓄電モジュール１０であって、複数の蓄電ユニット２３Ａ〜２３Ｆのそれぞれは、扁平な本体部２５の一端部から突出された一対の正極端子２６及び負極端子２７を備えると共に一対の正極端子２６及び負極端子２７の突出方向を揃えた姿勢で突出方向に直交する方向に沿って並べられた複数の蓄電素子２３と、複数の蓄電素子２３に対して正極端子２６及び負極端子２７の突出方向側の位置に配されると共に複数の蓄電素子２３の正極端子２６に接続された正極バスバー３６Ａ〜３６Ｆ及び負極端子２７に接続された負極バスバー３７Ａ〜３７Ｆと、を備え、複数の蓄電ユニット１２Ａ〜１２Ｆは、正極バスバー３６Ａ〜３６Ｆの正極バスバー本体部４２及び負極バスバー３７Ａ〜３７Ｆの負極バスバー本体部４３が正極端子２６及び負極端子２７の突出方向について交互に反対側に位置するように積層されている。
【００６２】
本体部２５の一端部から正極端子２６及び負極端子２７が突出する片側端子型の蓄電素子２３に正極バスバー３６Ａ〜３６Ｆ及び負極バスバー３７Ａ〜３７Ｆを接続すると、各蓄電ユニット２３Ａ〜２３Ｆの重心が片寄ることが懸念される。各蓄電ユニット２３Ａ〜２３Ｆの重心が片寄った状態で各蓄電ユニット２３Ａ〜２３Ｆを積層すると、蓄電モジュール１０の重心が片寄ることが懸念される。
【００６３】
本実施形態によれば、積層された各蓄電ユニット２３Ａ〜２３Ｆに配された正極バスバー３６Ａ〜３６Ｆの正極バスバー本体部４２及び負極バスバー３７Ａ〜３７Ｆの負極バスバー本体部４３は、正極端子２６及び負極端子２７の突出方向について交互に反対側に位置するように配されているから、全体として蓄電モジュール１０の重心が片寄ることを抑制することができる。この結果、蓄電モジュール１０の振動対策や固定構造において不具合を生じることを抑制することができる。
【００６４】
また、正極バスバー３６Ａ〜３６Ｆ及び負極バスバー３７Ａ〜３７Ｆは、それぞれ、蓄電素子２３に対して突出方向と直交する方向の側縁に沿って延びる正極バスバー延長部５６及び負極バスバー延長部５７を備え、複数の蓄電ユニッ１２Ａ〜１２Ｆのそれぞれに配された正極バスバー延長部５６及び負極バスバー延長部５７は、正極端子２６及び負極端子２７の突出方向に直交する方向について反対側に位置するように配されている。
【００６５】
これにより、各蓄電ユニット１２Ａ〜１２Ｆにおいて、正極端子２６及び負極端子２７の突出方向に直交する方向について重心が片寄ることを抑制することができるので、蓄電モジュール１０の重心が片寄ることを一層抑制することができる。
【００６６】
更に、正極バスバー３６Ａ〜３６Ｆの正極バスバー本体部４２と、負極バスバー３７Ａ〜３７Ｆの負極バスバー本体部４３とは、絶縁シート３９Ａを介して積層されている。これにより、正極バスバー３６Ａ〜３６Ｆと、負極バスバー３７Ａ〜３７Ｆとが積層されることで各蓄電ユニット１２Ａ〜１２Ｆの重心が片寄った場合でも、全体として蓄電モジュール１０の重心が片寄ることを抑制することができる。
【００６７】
また、本実施形態に係る蓄電素子２３はラミネート型の電池である。蓄電素子２３として比較的に軽量であるラミネート型の電池を用いることにより蓄電ユニット２３Ａ〜２３Ｆの重心が正極バスバー３６Ａ〜３６Ｆ及び負極バスバー３７Ａ〜３７Ｆに片寄った場合でも、全体として蓄電モジュール１０の重心が片寄ることを抑制することができる。
【００６８】
＜他の実施形態＞
本発明は上記記述及び図面によって説明した実施形態に限定されるものではなく、例えば次のような実施形態も本発明の技術的範囲に含まれる。
【００６９】
（１）本実施形態に係る蓄電素子２３はラミネート型の電池としたが、蓄電素子２３は金属製の筐体に蓄電要素を収容してなる電池でもよい。また、蓄電素子２３は円筒状、角筒状、ボタン状等、任意の形状を採用できる。また、蓄電素子２３は、外形の一部に平面を形成し、この平面とヒートシンク２４とを接触させる構成としてもよい。
【００７０】
（２）蓄電ユニット２３Ａ〜２３Ｆに配された正極バスバー３６Ａ〜３６Ｆと負極バスバー３７Ａ〜３７Ｆとは積層される構成としたが、これに限られず、正極バスバー３６Ａ〜３６Ｆと負極バスバー３６Ａ〜３６Ｆは積層されていなくてもいい。
【００７１】
（３）本実施形態では、１つの蓄電ユニットには３つの蓄電素子２３が並列接続される構成としたが、１つの蓄電ユニットに、２つ、又は４つ以上の複数の蓄電素子２３が並列接続される構成としてもよい
【００７２】
（４）本実施形態においては、ケース１１内には６つの蓄電ユニットが収容される構成としたが、これに限られず、ケース１１内に２つ〜５つ、又は７つ以上の蓄電ユニットが収容される構成としてもよい。
【００７３】
（５）本実施形態においては、蓄電素子２３として電池を用いたが、これに限られず、コンデンサ、キャパシタ等、必要に応じて任意の蓄電素子２３を用いてもよい。
【００７４】
（６）本実施形態に係る蓄電モジュール１０はＩＳＧ用としたが、これに限られず、電気自動車又はハイブリッド車の動力源等、他の用途に用いる構成としてもよい。
【００７５】
（７）本実施形態に係る絶縁層は合成樹脂製の絶縁シート３９Ａであったが、これに限られず、バスバーに絶縁性の合成樹脂からなる被膜を形成してもよい。また、絶縁性の合成樹脂からなる絶縁板としてもよい。
【符号の説明】
【００７６】
１０：蓄電モジュール
１２Ａ，１２Ｂ，１２Ｃ，１２Ｄ，１２Ｅ，１２Ｆ：蓄電ユニット
２３：蓄電素子
２５：本体部
２６：正極端子（リード端子）
２７：負極端子（リード端子）
３６Ａ,３６Ｂ，３６Ｃ，３６Ｄ，３６Ｅ，３６Ｆ：正極バスバー（バスバー）
３７Ａ，３７Ｂ，３７Ｃ，３７Ｄ，３７Ｅ，３７Ｆ：負極バスバー（バスバー）
３９Ａ：絶縁シート（絶縁層）
５６：正極バスバー延長部（延長部）
５７：負極バスバー延長部（延長部）
【図１】
2014220103.tif 000003
【図２】
2014220103.tif 000004
【図３】
2014220103.tif 000005
【図４】
2014220103.tif 000006
【図５】
2014220103.tif 000007
【図６】
2014220103.tif 000008
【図７】
2014220103.tif 000009
【図８】
2014220103.tif 000010
【図９】
2014220103.tif 000011
【図１０】
2014220103.tif 000012
【図１１】
2014220103.tif 000013
【図１２】
2014220103.tif 000014
【図１３】
2014220103.tif 000015
【図１４】
2014220103.tif 000016
【図１５】
2014220103.tif 000017
【図１６】
2014220103.tif 000018
【図１７】
2014220103.tif 000019
【図１８】
2014220103.tif 000020